(57)【要約】【課題】プレビュー時間の短縮化、プレビュー時等における映像の送出ポートの有効活用もしくはビデオサーバの価格低減を図ることのできる番組送出システムのプレビュー制御方法の実現。【解決手段】少なくとも２重化された番組送出システムのプレビュー制御方法において、各系の素材をそれぞれのビデオサーバにそれぞれ収録した後、第１の系のビデオサーバに収録された素材のプレビューを実行し、残りの系のビデオサーバに収録された素材のプレビューは、当該系のビデオサーバの空いている時間帯にプレビューを実行する番組送出システムのプレビュー制御方法である。【選択図】  図１
2008141634.tif 000002
【特許請求の範囲】
【請求項１】
少なくとも２重化された番組送出システムのプレビュー制御方法において、各系の素材をそれぞれのビデオサーバにそれぞれ収録後、第１の系のビデオサーバに収録された素材のプレビューを実行し、残りの系のビデオサーバに収録された素材のプレビューは、当該系のビデオサーバの空いている時間帯にプレビューを実行することを特徴とする番組送出システムのプレビュー制御方法。
【請求項２】
２重化された番組送出システムのプレビュー制御方法において、各系の素材をそれぞれのビデオサーバにそれぞれ収録するステップと、
収録が終了した第１の系のビデオサーバに収録された素材のプレビューを実行するステップと、
収録が終了した第２の系のビデオサーバに収録された素材のプレビューを、当該第２の系のビデオサーバの空いている時間帯に自動で実行するステップとを有することを特徴とする番組送出システムのプレビュー制御方法。
【発明の詳細な説明】
【技術分野】
【０００１】
本発明は、番組送出システムのプレビューを一部自動化することにより、ファイリング業務を効率よく行うものである。
【背景技術】
【０００２】
一般に、放送用素材は、複数の収録媒体（サーバ）に、それぞれ収録することが多い。ここで以下、図２、図３を用いて従来の複数の収録媒体への収録動作及びプレビュー動作について説明する。この図において、１はビデオサーバで、素材入力機器２から各種の映像素材を記録する装置、３’は登録／制御コンピュータで、登録／制御プレビュー端末５からの命令により、素材入力機器２、ビデオサーバ１などを制御し、ビデオサーバ１に映像を記録、再生制御する装置、４’はデータサーバで、ビデオサーバ１に記録した映像素材のデータ一覧等を記録しておく装置、５は登録／制御プレビュー端末で、データサーバ４’と登録／制御コンピュータ３’とデータ管理システム７’と送出制御コンピュータ８’とネットワークにて接続されており、映像素材を記録、再生、編集操作をするヒューマンインターフェース装置、６は映像モニタで、登録／制御プレビュー端末５での映像素材の記録、再生、編集操作状態を表示する映像モニタである。
登録／制御コンピュータ３’は、登録／制御プレビュー端末５からの制御信号により、素材入力機器２とビデオサーバ１の制御を行い、再生された映像音声信号がビデオサーバ１に記録され登録される。ビデオサーバ１に登録後、登録／制御プレビュー端末５からの再生コマンドにより、ビデオサーバ１の再生を行うと、映像音声信号は、映像モニタ６に入力され、プレビューされる。
【０００３】
次に、図３により、従来のプレビュー業務の一例を、Ａ系、Ｂ系の２系統で説明する。
番組プレビュー業務は、まず、Ａ系、Ｂ系の素材をＡ系、Ｂ系のサーバにそれぞれ収録する（Ａ／Ｂ系への収録は同時収録）(ステップ２００)。次に、それぞれの収録が終了したら(ステップ２０１)、Ａ系のサーバに収録した素材が正常に収録されているのか、Ａ系のプレビューを実行する(ステップ２０２)。
次に、Ａ系のプレビューを終了(ステップ２０３)後、Ｂ系のサーバに収録した素材が正常に収録されているのか、Ｂ系のプレビューを実行する(ステップ２０４)。
そして、Ｂ系のプレビューを終了(ステップ２０５)後、正常に収録されたＡ系またはＢ系の映像信号をオンエアー(ＯＡ)送出する(ステップ２０６)。
【特許文献１】特開２００５−１０８２７２号公報
【特許文献２】特開２００３−２５９１５９号公報
【発明の開示】
【発明が解決しようとする課題】
【０００４】
上述の従来技術では、各収録媒体毎に、映像信号をそれぞれ収録するようにしており、そのため、正しく収録が行われて正常な映像信号が記録されたか否かを確認するためには、それぞれの収録媒体に記録した映像信号を全て出力し、それぞれプレビュー表示し、確認しないと、全ての媒体および装置に正しく収録されたことを確認できない。
そのため、２重系のシステムでは１素材をプレビューするのに素材の２倍の時間が必要であった。
本発明はこれらの欠点を除去し、プレビュー時間の短縮化、プレビュー時等における映像の送出ポートの有効活用もしくはビデオサーバの価格低減を図ることを目的とする。
【課題を解決するための手段】
【０００５】
本発明は上記目的を達成するため、少なくとも２重化された番組送出システムのプレビュー制御方法において、各系の素材をそれぞれのビデオサーバにそれぞれ収録後、第１の系のビデオサーバに収録された素材のプレビューを実行し、残りの系のビデオサーバに収録された素材のプレビューは、当該系のビデオサーバの空いている時間帯にプレビューを実行する番組送出システムのプレビュー制御方法である。
また、２重化された番組送出システムのプレビュー制御方法において、各系の素材をそれぞれのビデオサーバにそれぞれ収録するステップと、収録が終了した第１の系のビデオサーバに収録された素材のプレビューを実行するステップと、収録が終了した第２の系のビデオサーバに収録された素材のプレビューを、当該第２の系のビデオサーバの空いている時間帯に自動で実行するステップとを有する番組送出システムのプレビュー制御方法である。
【発明の効果】
【０００６】
本発明によれば、片方の系だけのプレビュー時間で済むので、プレビュー時間の短縮化、プレビュー時等におけるデコーダの使用数を減らすことが出来るので、ビデオサーバにおける映像送出ポート(デコーダポート)の有効活用もしくはビデオサーバの価格低減を図ることができる。
【発明を実施するための最良の形態】
【０００７】
以下、本発明の一実施例を、図１のプレビュー業務の一実施例、図４のシステム構成の一実施例を用いて詳細に説明する。図４において、１はビデオサーバで、素材入力機器２から各種の映像素材を記録する装置、３は登録／制御コンピュータで、登録／制御プレビュー端末５からの命令により、素材入力機器２、ビデオサーバ１、映像/音声再検出装置９などを制御し、ビデオサーバ１への映像記録、再生制御等をする装置、４はデータサーバで、ビデオサーバ１に記録した映像素材のデータ一覧等を記録しておく装置、５は登録／制御プレビュー端末で、データサーバ４と登録／制御コンピュータ３とデータ管理システム７と送出制御コンピュータ８とネットワークにて接続されており、映像素材を記録、再生、編集操作をするヒューマンインターフェース装置、６は映像モニタで、登録／制御プレビュー端末５での映像素材の記録、再生、編集操作状態を表示する映像モニタ、９は映像／音声差異検出装置で、ビデオサーバ１からの２つの画像の違いを自動判別、検出するものである。
【０００８】
次に、図１により、本発明のプレビュー業務の一実施例を、Ａ系、Ｂ系の２系統で説明する。
番組プレビュー業務は、まず、Ａ系、Ｂ系の素材を登録／制御コンピュータ３により、Ａ系、Ｂ系のビデオサーバ１にそれぞれ収録する（同時収録）(ステップ１００)。
次に、それぞれの収録が終了したら(ステップ１０１)、Ａ系のビデオサーバ１に収録した素材が正常に収録されているのか、登録／制御プレビュー端末５によりＡ系のプレビューを実行する(ステップ１０２)。
次に、Ｂ系のビデオサーバ１に収録した素材のプレビューを、Ｂ系のビデオサーバ１の空いている時間帯に自動で行うように、スケジューリングを行い、このスケジューリングデータをデータサーバ４に設定する(ステップ１０３)。
次に、このスケジューリングに従い、Ｂ系のビデオサーバ１の空いている時間帯にＢ系のプレビューを実行する(ステップ１０４)。
そして、正常に収録されたＡ系またはＢ系の映像信号を、オンエアー(ＯＡ)に送出する(ステップ１０５)。
【０００９】
ここで、上記スケジューリング機能は、番組送出システムに裏録する機能があるため、それを応用することにより対応可能である。
また、Ａ系、Ｂ系の画像の判別は、ビデオサーバ１の送出ポートの後に、図４の映像／音声差異検出装置９を接続することにより、Ａ系とＢ系の画像の違いを自動判別することが可能である。即ち、例えば、図５に示すように、それぞれ出力される映像・音声データを一定期間バッファリングし、各フレームのフィールド１の画像及び音声データについて、蓄積されたそれぞれのバッファリングデータ内に同データが存在するか否かを検査し、同一データが存在しない場合は、一方のみに存在する映像・音声データであると判断することで、それぞれの映像・音声の差異を検出することができる。  または、Ａ系、Ｂ系での画像ファイルをファイルレベルでチェックし画像の違いを判別することでもよい。
その結果、本発明は、Ｂ系プレビューの自動化により、素材プレビューの作業時間を軽減でき、片系プレビューだけで済むので、各系のデコーダポートを有効に使用出来る。
【図面の簡単な説明】
【００１０】
【図１】本発明のプレビュー業務手順の一実施例を示すフローチャート
【図２】従来技術の番組送出システムの一例を示すブロック図
【図３】従来技術のプレビュー業務手順の一例を示すフローチャート
【図４】本発明の番組送出システムの一実施例を示すブロック図
【図５】本発明の映像／音声差異検出装置の一実施例を示すブロック図
【符号の説明】
【００１１】
１：ビデオサーバ、２：素材入力機器、３：登録／制御コンピュータ、４：データサーバ、５：登録／制御プレビュー端末、６：映像モニタ、７：データ管理システム、８：送出制御コンピュータ、９：映像/音声再検出装置。
【図１】
2008141634.tif 000003
【図２】
2008141634.tif 000004
【図３】
2008141634.tif 000005
【図４】
2008141634.tif 000006
【図５】
2008141634.tif 000007